(57)【要約】      （修正有）【課題】体積増加を回避することができ、ＵＳＢ３．０コネクターを備えるカード型拡張インターフェースを提供する。【解決手段】殻体１とＵＳＢ３．０コネクター２を備える。殻体１の絶縁枠体１１片側には定位欠口１１２を備える定位部１１１を形成し、絶縁枠体１１において、定位欠口１１２の反対側には接続部１１３を形成し、定位部１１１と接続部１１３との間には、第一接点組１２１と第二接点組１２２を備える回路板１２を定位する。接続部１１３上には台体１３を定位し、台体１３は、第一接点組１２１と電気的に連接する複数の端子２３、２５を設置する。定位欠口１１２には、絶縁台体２０１を備えるＵＳＢ３．０コネクター２を設置し、第一端子組２３と第二端子組２５の接触部２５１は、前後に平行に排列し絶縁台体２０１表面に露出し、反対側の溶接部２３２は、平行状の共平面を形成し、第二接点組１２２に溶接する。【選択図】図２
0003163323.tif 000002
【実用新案登録請求の範囲】
【請求項１】
カード型拡張インターフェースの体積増加を回避することができ、
殻体、少なくとも１個のUSB3.0コネクターを備え、
前記殻体は、絶縁枠体を備え、しかも前記絶縁枠体片側には、定位部を形成し、前記定位部には、少なくとも１個の定位欠口を貫通状に開設し、
前記絶縁枠体において、前記定位欠口の反対側には、接続部を形成し、前記絶縁枠体は、前記定位部と前記接続部との間に回路板を定位し、しかも前記回路板上表面の接続部に隣接する片側には、第一接点組を設置し、反対側の、前記定位部に近接する方には、第二接点組を設置し、前記接続部上には、台体を定位し、しかも前記台体は、前記回路板から離れた外側面に、コネクターを予め設置し、相互に電気的に連接する対応接続槽を設置し、前記対応接続槽内には、前記回路板の第一接点組と電気的に連接する複数の端子を設置し、前記絶縁枠体の頂点部、底部には、上蓋と底殻をそれぞれ設置し、
前記USB3.0コネクターは、前記絶縁枠体片側定位部の定位欠口内に設置し、前記USB3.0コネクターには、前記回路板に近い第二接点組周辺に設置する絶縁台体を設置し、さらに前記絶縁台体内には、それぞれ第一端子組と第二端子組を通して設置し、前記第一端子組と前記第二端子組の片側には、それぞれ平行状の共平面を形成し、前記絶縁台体外部の溶接部を貫通し、しかも前記溶接部と前記回路板の第二接点組とは電気的に連接し、さらに前記第一端子組と前記第二端子組の反対側には、前後に排列し前記絶縁台体表面に露出する接触部をそれぞれ設置し、前記絶縁枠体外側は、遮蔽殻体で覆うことを特徴とするUSB3.0コネクターを備えるカード型拡張インターフェース。
【請求項２】
前記殻体の絶縁枠体頂点部及び底部には、それぞれ上蓋、底殻を設置し、
前記上蓋両側は、それぞれ下方へと屈折して延伸し、前記絶縁枠体両側に嵌合する嵌合部を設置し、しかも前記上蓋は、前記各嵌合部側辺において、前記台体両側に設置する嵌合槽に係合して保持する係合保持体を下方へと延伸して形成し、
前記底殻両側は、前記絶縁枠体溶接部内側に対応して、嵌合体を上方へと突出状に設置し、しかも前記底殻は、前記嵌合体側辺において、前記絶縁枠体片側の接続部に設置する嵌合欠口に嵌合することができる係合保持部を上方へと突出状に設置することを特徴とする請求項１に記載のUSB3.0コネクターを備えるカード型拡張インターフェース。
【請求項３】
前記絶縁枠体は、前記定位部と前記接続部との間において、前記回路板を定位可能な収容設置空間を形成し、しかも前記接続部の相対する両内側には、それぞれ嵌合欠口と係合固定槽をそれぞれ設置し、
前記絶縁枠体は、前記定位部と前記接続部との間の底部に、嵌接続槽を設置し、
前記殻体の台体両側の回路板に近い第一接点組には嵌合槽を設置し、しかも前記各嵌合槽の底部には、前記回路板表面に接触し押さえることができる接触保持部を設置し、前記台体は、前記各嵌合槽両側壁面において、係合固定体を突出状に設置し、
前記定位部の１個或いは１個以上の定位欠口の相対する両内壁面には、凸ブロックを突出状に設置し、しかも前記凸ブロックに対応し、前記USB3.0コネクターの遮蔽殻体両側壁には、それぞれ定位孔を貫通状に設置し、
前記定位部と前記接続部との間に設置する回路板は、前記第二接点組の前記定位部に近い両側に、それぞれ穿孔を貫通状に設置し、しかも前記各穿孔に対応して、前記USB3.0コネクターの固定台底部に、定位柱を突出状に設置することを特徴とする請求項１に記載のUSB3.0コネクターを備えるカード型拡張インターフェース。
【請求項４】
前記USB3.0コネクターの絶縁台体は、固定台を備え、前記固定台頂点部両側には、嵌合圧槽をそれぞれ陥没状に設置し、しかも前記嵌合圧槽に対応して、前記絶縁枠体の収容設置空間に隣接する定位欠口両側に、嵌合圧アームをそれぞれ突出状に設置し、
しかも、前記固定台底部には、前記第二端子組を通して設置可能な定位ブロックを設置し、前記固定台底部には、複数の凸柱を突出状に設置し、しかも前記各凸柱に対応し、前記定位ブロック表面には位置限定孔を陥没状に設置し、
或いは、前記固定台片側には、舌板を延伸し、しかも前記固定台の前記回路板に近い片側は、内部から前記下板底部まで貫通し、前記第一端子組を通して設置する第一収容設置槽を形成し、さらに前記舌板底部には、前記固定台底部まで貫通し、前記第二端子組の接触部を定位する複数の第二収容設置槽を設置し、しかも前記第一端子組と前記第二端子組の接触部は、前記舌板底部において露出することを特徴とする請求項１に記載のUSB3.0コネクターを備えるカード型拡張インターフェース。
【考案の詳細な説明】
【技術分野】
【０００１】
本考案はUSB3.0コネクターを備えるカード型拡張インターフェースに関し、特に殻体は、絶縁枠体の定位部において、USB3.0コネクターを設置可能な定位欠口を貫通状に開設し、しかもUSB3.0コネクターの第一端子組と第二端子組の溶接部は、表面粘着技術を通して殻体内回路板に溶接し、この構造と設置方式により、カード型拡張インターフェース(Express Card)の体積の増加を回避することができるUSB3.0コネクターを備えるカード型拡張インターフェースに関する。
【背景技術】
【０００２】
新世代のIT装置が使用するカード型拡張インターフェース(Express Card)には、以下の２種の規格がある。
一つは、幅が34mmのカード型拡張インターフェース(Express Card／34長方形)で、もう一つは幅が54mmのカード型拡張インターフェース(Express Card／54Ｌ型)である。
これにより、ノート型コンピューターは、カード型拡張インターフェース(Express Card)を挿入して接続することで、必要な機能を拡張することができる。
従来のカード型拡張インターフェース(Express Card)は、回路板の殻体に収容され、しかも回路板表面の片側には対応接続台体を設置し、これによりカード型拡張インターフェース(Express Card)は、対応接続台体を通して、ノート型コンピューターに内蔵する対応するコネクターに挿入して接続することができる。
さらに、回路板表面の反対側には、USB或いはUSB2.0コネクターを設置し、これにより、カード型拡張インターフェースは外部の電子装置のコネクターと挿入して接続し、信号の伝送を行うことができる。
【０００３】
しかし、従来のカード型拡張インターフェースは、データ伝送速度と電源供給の安定性から言えば、駆動電力が比較的小さく、伝送速度の要求が高くない周辺設備(カードリーダー、プリンター、ポータブルディスク、インターネット電話、ウェブカメラなど)にのみ適用することができ、外付けの高容量ハードディスク、DVDレコーダー／プレーヤー、最新のブルーレイレコーダー／プレーヤーなどに対しては、伝送速度が不十分で、しかも駆動運転電力は足りない。
【０００４】
よって、業者は、カード型拡張インターフェース上に設置するUSB3.0コネクターを開発した。
これにより、比較的高い伝送速度と電力供給能力を備えることができるが、カード型拡張インターフェースの大きさはすべて規定の規格の大きさで、しかもカード型拡張インターフェースの厚みは5mmであるため、カード型拡張インターフェースの厚みに、USB3.0コネクターを設置すると、カード型拡張インターフェースの殻体内回路板における設計を長くしなければならない。
或いは、もともとの回路板の片側に、さらに別の回路板を連接し、別の回路板にUSB3.0コネクターを設置しなければならないため、配線レイアウト、回路板を増やさなければならない。
また、カード型拡張インターフェース片側の厚さを拡大してしまい、しかもそれに従いカード型拡張インターフェースのもとの規格を変更することになってしまう。
【０００５】
図８に示すように、従来のカード型拡張インターフェースの使用時には、カード型拡張インターフェースを、ノート型コンピューターのコネクターに挿入すると、ノート型コンピューター内に完全に収容されず、カード型拡張インターフェースの片側が露出するため、外界の物体に衝突する恐れが高く、損壊の危険性がある。
よって、ノート型コンピューターを収納して携帯する度に、カード型拡張インターフェースを抜き取らなければならず、非常に面倒である。
本考案は、従来のUSB3.0コネクターを備えるカード型拡張インターフェースの上記した欠点に鑑みてなされたものである。
【考案の概要】
【考案が解決しようとする課題】
【０００６】
本考案が解決しようとする第一の課題は、USB3.0コネクターを備えるカード型拡張インターフェースを提供することである。
【課題を解決するための手段】
【０００７】
上記課題を解決するため、本考案は下記のUSB3.0コネクターを備えるカード型拡張インターフェースを提供する。
USB3.0コネクターを備えるカード型拡張インターフェースは、殻体の絶縁枠体片側に、少なくとも１個の定位欠口を備える定位部を形成し、
該絶縁枠体において、該定位欠口の反対側には、接続部を形成し、該定位部と該接続部との間には、第一接点組と第二接点組を備える回路板を定位し、該定位部の定位欠口には、USB3.0コネクターを設置し、
該絶縁台体の構造設計を利用して、体積を縮小し、該絶縁台体内には、第一端子組と第二端子組をそれぞれ通して設置し、しかも該第一端子組と該第二端子組の片側に設置する接触部分は、該絶縁台体表面にそれぞれ前後に排列して露出し、反対側に設置する溶接部は平行状の共平面を形成し、
表面粘着技術を通して、該回路板の第二接点組にそれぞれ溶接し、上記した構造により、該USB3.0コネクターは、カード型拡張インターフェース(Express Card)の長さを拡大する必要がなく、こうしてカード型拡張インターフェースはもとのサイズを維持できるため、使用における不便を回避可能で、
該絶縁枠体は定位部の定位欠口に、USB3.0コネクターを設置可能で、しかもUSB3.0コネクター遮蔽殻体と底殻及び上蓋は、一体成型により製造可能であるため、組立ての利便性を拡大することができ、
該殻体は、該定位部の定位欠口を通して、USB3.0コネクターを設置し、しかもUSB3.0コネクターの第一端子と第二端子を組合せ、表面粘着技術により、該殻体内回路板に溶接する設計方式により、カード型拡張インターフェース(Express Card)の体積が増してしまうという欠点を改善することができ、カード型拡張インターフェース形式に符合する接続カードに適用可能で、接続カードは外部電子装置のUSB3.0コネクターを挿入して接続し、信号伝送を行う機能を拡充することができる。
【考案の効果】
【０００８】
本考案のUSB3.0コネクターを備えるカード型拡張インターフェースは、殻体の絶縁枠体の定位部にUSB3.0コネクターを設置可能な定位欠口を開設し、絶縁台体の構造設計を利用することで、体積を縮小することができ、しかもUSB3.0コネクターの第一端子組及び第二端子組の溶接部は、表面粘着技術を通して、殻体内の回路板に溶接するため、カード型拡張インターフェースの体積増加を回避することができる。
【図面の簡単な説明】
【０００９】
【図１】本考案の立体外観図である。
【図２】本考案の立体分解図(一)である。
【図３】本考案の立体分解図(二)である。
【図４】本考案の側視分解図である。
【図５】本考案の側視断面図である。
【図６】本考案実施例の立体分解図である。
【図７】本考案使用時の表示図である。
【図８】従来のカード型拡張インターフェース使用時の表示図である。
【考案を実施するための形態】
【００１０】
以下に図面を参照しながら本考案を実施するための最良の形態について詳細に説明する。
【００１１】
本考案の立体外観図、立体分解図(一)、立体分解図(二)、側視分解図である図１、２、３、４に示すように、本考案のUSB3.0コネクターを備えるカード型拡張インターフェース(Express Card)は、殻体１、少なくとも１個のUSB3.0コネクター２を備える。
【００１２】
殻体１は、絶縁枠体１１を備え、絶縁枠体１１片側には、定位部１１１を形成する。
定位部１１１には、少なくとも１個の定位欠口１１２を貫通状に開設する。
定位欠口１１２の相対する両内壁面には、凸ブロック１１２１を突出状に設置する。
絶縁枠体１１において、定位欠口１１２の反対側には、接続部１１３を形成し、しかも接続部１１３の相対する両内側には、それぞれ嵌合欠口１１３１と係合固定槽１１３２をそれぞれ設置する。
【００１３】
しかも、絶縁枠体１１は、定位部１１１と接続部１１３との間の底部に、嵌接続槽１１４を設置する。
さらに、絶縁枠体１１は、定位部１１１と接続部１１３との間において、貫通状の収容設置空間１１５を形成する。
絶縁枠体１１は、収容設置空間１１５に隣接する定位部１１１の定位欠口１１２両側に、嵌合圧アーム１１６をそれぞれ突出状に設置する。
しかも収容設置空間１１５内には、回路板１２を定位し、回路板１２上表面の接続部１１３に隣接する片側には、第一接点組１２１を設置し、反対側の、定位部１１１に近接する方には、第二接点組１２２を設置する。
しかも、回路板１２は、第二接点１２２の定位部１１１に隣接する両側に、穿孔１２３をそれぞれ貫通状に開設する。
【００１４】
絶縁枠体１１の接続部１１３上には、台体１３を定位する。
台体１３は、回路板１２から離れた外側に、コネクターを予め設置し、相互に電気的に連接する対応接続槽１３１を設置する。
しかも、対応接続槽１３１内には、回路板１２の第一接点組１２１と電気的に連接する複数の端子１３２を設置する。
台体１３両側には、回路板１２第一接点組１２１に隣接し、嵌合槽１３３を設置する。
しかも、各嵌合槽１３３の底部には、回路板１２表面に接触し押さえることができる接触保持部１３４を設置する。
台体１３は、各嵌合槽１３３両側壁面において、係合固定体１３５を突出状に設置する。
【００１５】
絶縁枠体１１底部には、底殻１４を設置し、しかも底殻１４両側は、嵌合体１４１を上方へと突出状に設置する。
これにより、嵌合体１４１は、絶縁枠体１１接続部１１３の嵌合欠口１１３１に対応して嵌合することができる。
底殻１４は、嵌合体１４１側辺において、係合保持部１４２を上方へと突出状に設置する。
これにより、係合保持部１４２は、絶縁枠体１１両側の嵌接続槽１１４内に対応して、係合し保持される。
【００１６】
絶縁枠体１１頂点部には、上蓋１５を設置する。
上蓋１５両側は、それぞれ下方へと屈折して延伸し、絶縁枠体１１両側に嵌合する嵌合部１５１を設置する。
上蓋１５は、各嵌合部１５１側辺において、台体１３嵌合槽１３３に係合して保持する係合保持体１５２を下方へと延伸して形成する。
【００１７】
USB3.0コネクター２は、絶縁台体２０１を備える。
絶縁台体２０１には、固定台２１を設置し、固定台２１底部には、複数の凸柱２１１と定位柱２１２を突出状に設置する。
固定台２１頂点部両側には、嵌合圧槽２１３をそれぞれ陥没状に設置し、固定台２１片側は、舌板２２を延伸する。
さらに、固定台２１内部は、舌板２２底部まで貫通し、第一収容設置槽２２１を形成する。
【００１８】
舌板２２底部には、固定台２１底部まで貫通する複数の第二収容設置槽２２２を設置する。
固定台２１の第一収容設置槽２２１には、第一端子組２３を通して設置し、第一端子組２３片側には、接触部２３１を設置する。
接触部２３１は、舌板２２底部まで延伸し、舌板２２底部において露出する。
第一端子組２３において、接触部２３１の反対側には、溶接部２３２を設置する。
固定台２１下方には、定位ブロック２４を設置し、しかも定位ブロック２４表面には、凸柱２１１に対応する複数の位置限定孔２４１を陥没状に設置する。
定位ブロック２４には、第二端子組２５を通して設置する。
第二端子組２５の片側には、接触部２５１を設置し、反対側には溶接部２５２を設置する。
舌板２２の外側は、遮蔽殻体２６により覆い、遮蔽殻体２６の両側壁には、定位欠口１１２の凸ブロック１１２１に対応する定位孔２６１を貫通状に設置する。
【００１９】
上記した構成部材の組み立て時には、底殻１４の係合保持部１４２を、絶縁枠体１１底部の嵌接続槽１１４に係合して固定する。
同時に、底殻１４の嵌合体１４１は、絶縁枠体１１の嵌合欠口１１３１に嵌合する。
台体１３の係合固定体１３５は、絶縁枠体１１の係合固定槽１１３２に、係合して固定する。
しかも、固定台２１の第一収容設置槽２２１には、第一端子組２３を通して設置する。
第一端子組２３の接触部２３１は、舌板２２底部に露出し、さらに第二端子組２５は、固定台２１底部の定位ブロック２４内に通して設置し、しかも、第二端子組２５の接触部２５１は、舌板２２の第二収容設置槽２２２に定位される。
よって、第一端子組２３と第二端子組２５とは、固定台２１内部と舌板２２底部に定位し、上下に重なった状態の区画を形成し、しかも、第一端子組２３の接触部２３１と第二端子組２５の接触部２５１とは、それぞれ前後に排列状を形成し、各接触部２３１、２５１が相互に接触してショートすることを回避することができる。
【００２０】
さらに、定位ブロック２４の位置限定孔２４１には、固定台２１の凸柱２１１を嵌めて固定し、回路板１２の穿孔１２３には、固定台２１の定位柱２１２を嵌めて固定する。
しかも、絶縁枠体１１の嵌合圧アーム１１６は、固定台２１の嵌合圧槽２１３に嵌合して圧迫する。
この他、第一端子組２３と第二端子組２５とは、上下に重なった状態を呈し、しかも溶接部２３２、２５２は、定位台２１外部へとそれぞれ延伸し、平行状の共平面を形成する。
【００２１】
さらに、表面粘着技術(Surface Mounting Technology、SMT)を通して、回路板１２の第一接点組１２１に溶接する。
よって、溶接部２３２、２５２を、回路板１２の反対側まで貫通させた後に、溶接部２３２、２５２と回路板１２の反対側とをハンダを用いて溶接する必要がないため、回路板１２反対側のハンダ溶接を不要とすることができる。
これにより、回路板１２が高くなり、それに従い、殻体１の厚みをも拡大するという事態の発生を避けることができる。
上蓋１５の嵌合部１５１は、絶縁枠体１１両側に嵌合し、同時に上蓋１５の係合保持体１５２は、台体１３の嵌合槽１３３内に係合して固定される。
しかも、遮蔽殻体２６の定位孔２６１は、絶縁枠体１１の凸ブロック１１２１に嵌合する。
USB3.0コネクター２遮蔽殻体２６の片側は、組合せ、或いは一体成型の方式を通して、上蓋１５及び底殻１４と結合する。
【００２２】
本考案の側視断面図、使用時の模式図である図５、７に示すように、カード型拡張インターフェース(Express Card)が、電子装置(ノート型コンピューターなど)片側に予め設置する対応した所定のカード型拡張インターフェースに挿入されると、台体１３は、対応接続槽１３１の複数の端子１３２と、所定のカード型拡張インターフェース内の連接端子と電気的に連接を形成する。
カード型拡張インターフェースに設置するUSB3.0コネクター２は、凹台型式であるため、この時、外部の電子装置(カードリーダーなど)の相対型式のコネクター(凸型式)を、USB3.0コネクター２に挿入し、信号の伝送を行うことができる。
【００２３】
USB3.0コネクター２は、殻体１の定位欠口１１２に定位する構造設計であるため、USB3.0コネクター２は殻体１外に突出することはない。
すなわち、アダプターカードの厚みと長さを拡大してしまうという欠点を除去しながら、カード型拡張インターフェースは電子装置のカード型拡張インターフェースコネクター(図示なし)に完全に挿入して収納される。
こうして、カード型拡張インターフェース片側が電子装置外に突出、或いは露出し、外物が衝突して損壊してしまうという事態の発生を防止することができる。
さらに、回路板１２の第二接点組１２２は、第一端子組２３と第二端子組２５の溶接部２３２、２５２に電気的に連接し、USB3.0コネクター２を形成する。
対応する型式のコネクターを挿入して接続する時には、より高い伝送速度と電力供給能力を達成するため、より優れた使用性能を備える。
【００２４】
本考案の立体分解図(一)、実施例の立体分解図である図２、６に示すように、殻体１は、幅が34mmのカード型拡張インターフェース(Express Card／34長方形)、或いは幅が54mmのカード型拡張インターフェース(Express Card／54Ｌ型)の規格型式に符合する。
殻体１が、幅が34mmのカード型拡張インターフェース(Express Card／34長方形)型式に符合する時には、絶縁枠体１１定位部１１１は、USB3.0コネクター２を定位可能な定位欠口１１２を開設する。
【００２５】
殻体１が、54mmのカード型拡張インターフェース(Express Card／54Ｌ型)型式に符合する時には、絶縁枠体１１定位部１１１は、少なくとも１個の定位欠口１１２を開設する。
この際、好ましい個数は２個(或いは２個以上)で、２個以上の定位欠口１１２には、それぞれ１個のUSB3.0コネクター２を設置することができ、各遮蔽殻体２６の定位孔２６１は、定位欠口１１２の凸ブロック１１２１に嵌合し、固定を形成し、同時に２個の外部電子装置のUSB3.0コネクター２を挿入して接続し、信号の伝送を行うことができる。
こうして、挿入して接続可能な外部コネクターの個数を増やし、使用の利便性を拡大することができる。
【００２６】
上記したように、本考案のUSB3.0コネクターを備えるカード型拡張インターフェースは、実際の使用時に、以下のような長所が存在する。
１．USB3.0コネクター２の第一端子組２３及び第二端子組２５の溶接部２３２、２５２は、表面粘着技術を通して、殻体１内の回路板に溶接する。そのため、溶接部２３２、２５２は、回路板１２の反対側まで通した後、ハンダを用いて溶接する必要がないため、回路板１２反対側のハンダ溶接を不要とし、高さが増すという問題を回避し、これによりカード型拡張インターフェース(Express Card)にUSB3.0コネクター２を設置後、カード型拡張インターフェース(Express Card)の全体的体積が増加し、使用が不便になるという問題を避けることができる。
２．USB3.0コネクター２は、殻体１の定位欠口１１２に設置することができるため、USB3.0コネクター２は殻体１外に突出することはなく、しかも絶縁台体２０１の構造設計を組み合わせることで、体積を縮小可能であるため、カード型拡張インターフェース(Express Card)は、既存の規格を維持可能で、カード型拡張インターフェースの片側が電子装置外に突出或いは露出し、外物が衝突し損壊し易いという欠点を排除することができる。
３．絶縁枠体１１は、定位部１１１の定位欠口１１２において、USB3.0コネクター２を設置することができ、しかも遮蔽殻体２６と底殻１４及び上蓋１５は、一体成型により製造するため、組立てにかかる時間を節減でき、生産量を拡大することができる。
４．定位柱２１２を回路板１２の穿孔１２３に嵌めて固定することで、固定台２１は、第一端子組２３及び第二端子組２５の溶接部２３２、２５２が回路板１２の第二接点組１２２に安定的に定位できるよう補助することができ、こうしてUSB3.0コネクター２を何度も挿入して接続する状況においても、溶接部２３２、２５２と回路板１２の第二接点組１２２とが、緩み脱落する問題を防止することができる。
【００２７】
上記したように、本考案の殻体は、絶縁枠体の定位部に、USB3.0コネクター２を設置可能な定位欠口を開設し、絶縁台体の構造設計を利用することで、体積を縮小することができ、しかもUSB3.0コネクター２の第一端子組及び第二端子組の溶接部は、表面粘着技術を通して、殻体内の回路板に溶接し、この構造設置方式により、カード型拡張インターフェースの体積増加を回避することができる。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２９】
本考案は実用新案の要件である新規性を備え、従来の同類製品に比べ十分な進歩を有し、実用性が高く、社会のニーズに合致しており、産業上の利用価値は非常に大きい。
【符号の説明】
【００３０】
１  殻体
１１  絶縁枠体
１１１  定位部
１１２  定位欠口
１１２１  凸ブロック
１１３  接続部
１１３１  嵌合欠口
１１３２  係合固定槽
１１４  嵌接続槽
１１５  収容設置空間
１１６  嵌合圧アーム
１２  回路板
１２１  第一接点組
１２２  第二接点組
１２３  穿孔
１３  台体
１３１  対応接続槽
１３２  端子
１３３  嵌合槽
１３４  接触保持部
１３５  係合固定体
１４  底殻
１４１  嵌合体
１４２  係合保持部
１５  上蓋
１５１  嵌合部
１５２  係合保持体
２  USB3.0コネクター
２０１  絶縁台体
２１  固定台
２１１  凸柱
２１２  定位柱
２１３  嵌合圧槽
２２  舌板
２２１  第一収容設置槽
２２２  第二収容設置槽
２３  第一端子組
２３１  接触部
２３２  溶接部
２４  定位ブロック
２４１  位置限定孔
２５  第二端子組
２５１  接触部
２５２  溶接部
２６  遮蔽殻体
２６１  定位孔
【図１】
0003163323.tif 000003
【図２】
0003163323.tif 000004
【図３】
0003163323.tif 000005
【図４】
0003163323.tif 000006
【図５】
0003163323.tif 000007
【図６】
0003163323.tif 000008
【図７】
0003163323.tif 000009
【図８】
0003163323.tif 000010